(57)【要約】【課題】一対のリボンユニットを容易に梱包することができるとともに容易に取り出すことができる梱包体を提供する。【解決手段】本発明による梱包体１は、外箱１１と、この外箱１１内に配置され、一対のリボンユニット１を収納するリボン箱２０とを備えている。このうちリボン箱２０は、底板２１と、対向する一対の第１側板２２と、各第１側板２２の間に配置された一対の第２側板２３と、各第１側板２２の上部に設けられた一対の取っ手板２９とを有している。各第１側板２２に、一方のリボンユニット１の繰出コア１ｂおよび巻取コア１ｃを支持するための一対の貫通孔２８を設けるとともに、他方のリボンユニット１の繰出コア１ｂおよび巻取コア１ｃを支持するための一対の貫通孔２８を設けている。【選択図】図１
2011073702.tif 000002
【特許請求の範囲】
【請求項１】
リボンと、繰出コアを含む繰出ロールと、巻取コアを含む巻取ロールとを有する一対のリボンユニットを梱包する梱包体において、
外箱と、
この外箱内に配置され、一対のリボンユニットを収納するリボン箱と、を備え、
リボン箱は、底板と、対向する一対の第１側板と、各第１側板の間に配置された一対の第２側板と、各第１側板の上部に設けられた一対の取っ手板とを有し、
各第１側板に、一方のリボンユニットの繰出コアおよび巻取コアを支持するための一対の貫通孔を設けるとともに、他方のリボンユニットの繰出コアおよび巻取コアを支持するための一対の貫通孔を設けたことを特徴とする梱包体。
【請求項２】
各インクリボンユニットの繰出コアを支持する貫通孔の中心とリボン箱の底板の上面との間の距離は、当該インクリボンユニットの繰出コアに巻付けられたリボンの巻付半径よりも大きい寸法からなっていることを特徴とする請求項１に記載の梱包体。
【請求項３】
各取っ手板は、対応する第１側板に対して折り曲げ自在となっており、第１側板との境界に設けられ、取っ手板の折り曲げ時に外方へ突出する取っ手板突出部を有し、
各取っ手板突出部は、外箱の内面に当接することを特徴とする請求項１または２に記載の梱包体。
【請求項４】
底板は、各第１側板との境界に設けられ、外方へ突出する底板突出部を有し、
各底板突出部は、外箱の内面に当接することを特徴とする請求項１乃至３のいずれかに記載の梱包体。
【請求項５】
各第２側板は、各第１側板との境界に設けられ、外方へ突出する側板突出部を有し、
各側板突出部は、外箱の内面に当接することを特徴とする請求項１乃至４のいずれかに記載の梱包体。
【発明の詳細な説明】
【技術分野】
【０００１】
本発明は、リボンと、繰出コアを含む繰出ロールと、巻取コアを含む巻取ロールとを有する一対のリボンユニットを梱包する梱包体に係り、とりわけ、一対のリボンユニットを容易に梱包することができるとともに容易に取り出すことができる梱包体に関する。
【背景技術】
【０００２】
一般に、昇華転写プリンターでは、そのプリンター専用のリボンと印画紙が使用される。このため、印画紙が巻き付けられて円筒状に形成された印画紙ロールと、リボンと、リボンが巻き付けられた繰出ロールと、この繰出ロールから繰り出されたリボンを巻き取る巻取ロールとを有するリボンユニットとが、セットとして流通し、一つの梱包体に梱包されて輸送されている（例えば、特許文献１参照）。
【０００３】
ここで、印画紙ロールとリボンユニットとを梱包する方法として、梱包体内に印画紙ロールが収納される領域と一対のリボンユニットが収納される領域とを区画する仕切り部材を設け、各領域に印画紙ロールと一対のリボンユニットとを収納する方法が考えられている。
【先行技術文献】
【特許文献】
【０００４】
【特許文献１】特開２００９−５１５４１号公報
【発明の概要】
【発明が解決しようとする課題】
【０００５】
このような方法は、比較的小さなリボンユニットを収納する場合には適している。しかしながら、比較的大きなリボンユニット、例えば、１ｋｇ以上の重さを有するリボンユニットを収納すること、およびこの収納されたリボンユニットを取り出すことは困難であるという問題があった。
【０００６】
本発明は、このような点を考慮してなされたものであり、一対のリボンユニットを容易に梱包することができるとともに容易に取り出すことができる梱包体を提供することを目的とする。
【課題を解決するための手段】
【０００７】
本発明は、リボンと、繰出コアを含む繰出ロールと、巻取コアを含む巻取ロールとを有する一対のリボンユニットを梱包する梱包体において、外箱と、この外箱内に配置され、一対のリボンユニットを収納するリボン箱と、を備え、リボン箱は、底板と、対向する一対の第１側板と、各第１側板の間に配置された一対の第２側板と、各第１側板の上部に設けられた一対の取っ手板とを有し、各第１側板に、一方のリボンユニットの繰出コアおよび巻取コアを支持するための一対の貫通孔を設けるとともに、他方のリボンユニットの繰出コアおよび巻取コアを支持するための一対の貫通孔を設けたことを特徴とする梱包体である。
【０００８】
本発明は、各インクリボンユニットの繰出コアを支持する貫通孔の中心とリボン箱の底板の上面との間の距離は、当該インクリボンユニットの繰出コアに巻付けられたリボンの巻付半径よりも大きい寸法からなっていることを特徴とする梱包体である。
【０００９】
本発明は、各取っ手板は、対応する第１側板に対して折り曲げ自在となっており、第１側板との境界に設けられ、取っ手板の折り曲げ時に外方へ突出する取っ手板突出部を有し、各取っ手板突出部は、外箱の内面に当接することを特徴とする梱包体である。
【００１０】
本発明は、底板は、各第１側板との境界に設けられ、外方へ突出する底板突出部を有し、各底板突出部は、外箱の内面に当接することを特徴とする梱包体である。
【００１１】
本発明は、各第２側板は、各第１側板との境界に設けられ、外方へ突出する側板突出部を有し、各側板突出部は、外箱の内面に当接することを特徴とする梱包体である。
【発明の効果】
【００１２】
本発明によれば、リボン箱の第１側板に設けられた各貫通孔に一対のリボンユニットの各繰出コアおよび各巻取コアが支持され、この第１側板の上部に設けられた一対の取っ手板を用いて、一対のリボンユニットが収納されたリボン箱を容易に持ち上げることができる。このことにより、一対のリボンユニットが収納されたリボン箱を外箱内に容易に収納して梱包することができるとともに、外箱内から容易に取り出すことができる。
【図面の簡単な説明】
【００１３】
【図１】図１は、本発明の実施の形態における梱包体の断面構成を示す図である。
【図２】図２は、本発明の実施の形態において、一対のリボンユニットを示す図である。
【図３】図３は、本発明の実施の形態における外箱用の外箱ブランク板を示す図である。
【図４】図４は、本発明の実施の形態におけるリボン箱用のリボンブランク板を示す図である。
【図５】図５（ａ）は、本発明の実施の形態において、リボンブランク板に一対のリボンユニットを載置した状態を示す上面図である。図５（ｂ）は、図５（ａ）においてＸ方向から見たＸ矢視図である。図５（ｃ）は、図５（ａ）においてＹ方向から見たＹ矢視図である。
【図６】図６（ａ）は、本発明の実施の形態において、各リボンユニットを支持した状態を示す上面図である。図６（ｂ）は、図６（ａ）においてＸ方向から見たＸ矢視図である。図６（ｃ）は、図６（ａ）においてＹ方向から見たＹ矢視図である。
【図７】図７（ａ）は、本発明の実施の形態において、リボン箱を組み立てた状態を示す図である。図７（ｂ）は、図７（ａ）においてＸ方向から見たＸ矢視図である。図７（ｃ）は、図７（ａ）においてＹ方向から見たＹ矢視図である。
【図８】図８は、本発明の実施の形態において、リボン箱を外箱内に収納した状態を示す図である。
【図９】図９は、本発明の実施の形態において、外箱を組み立てた状態を示す図である。
【発明を実施するための形態】
【００１４】
発明の実施の形態
以下、図面を参照して、本発明の実施の形態について説明する。ここで、図１乃至図９は、本発明の実施の形態における梱包体を示す図である。
【００１５】
まず、図１により梱包体１０の全体構成について説明する。ここで、梱包体１０は、リボン１ａと、繰出ボビン（繰出コア）１ｂを含む繰出ロールと、巻取ボビン（巻取コア）１ｃを含む巻取ロールとを有するリボンユニット１を梱包するためのものである。ここで、各リボンユニット１は、図１および図２に示すように、イエロー、マゼンタ、シアンからなる三色のインクリボンが繰出ロールに巻き付けられた三色インクリボンユニットと、保護フィルムからなる保護リボンが巻き付けられた保護リボンユニットとからなり、樹脂製の保護袋２（図１参照）に収容されている。このうち、三色インクリボンユニットは、例えば、２．５〜４．０ｋｇの重さを有しており、保護リボンユニットは、例えば、１．０〜２．６ｋｇの重さを有している。なお、三色インクリボンユニットの繰出ボビン１ｂおよび巻取ボビン１ｃ、並びに保護リボンユニットの繰出ボビン１ｂおよび巻取ボビン１ｃは、いずれも略同一の外径を有している。また、繰出ボビン１ｂおよび巻取ボビン１ｃの両端部は、巻付けられたリボン１ａから突出するようになっている。
【００１６】
梱包体１０は、外箱１１と、この外箱１１内に配置され、一対のリボンユニット１を収納するリボン箱２０とを備えている。このうち、外箱１１は、図１に示すように、底面１２と、４つの側面１３と、上面１４とを有し、直方体状に形成されている。
【００１７】
リボン箱２０は、底板２１と、対向する一対の第１側板２２と、各第１側板２２の間に配置された一対の第２側板２３とを有している。また、リボン箱２０は、外箱１１内に収納された場合に、各第２側板２３が外箱１１の内面に当接するように構成されている。
【００１８】
図１および図７（ａ）、（ｂ）、（ｃ）に示すように、底板２１は、各第１側板２２との境界に設けられ、外方へ突出する底板突出部２４を有している。各底板突出部２４は、リボン箱２０が外箱１１内に収納された場合に、外箱１１の内面に当接するようになっている（図８参照）。
【００１９】
各第２側板２３は、各第１側板２２との境界に設けられ、外方へ突出する側板突出部２５を有している。各側板突出部２５は、リボン箱２０が外箱１１内に収納された場合に、外箱１１の内面に当接するようになっている。
【００２０】
また、各第２側板２３は、矩形状の側板本体２３ａ（図７（ｃ）参照）と、この側板本体２３ａと各側板突出部２５との間に連結された首部２６とを有している。一方、各第１側板２２は、各第２側板２３との境界に設けられ、各第２側板２３の首部２６が嵌合自在な凹部２７を有している。なお、首部２６の幅は、側板突出部２５の幅よりも小さくなっており、側板本体２３ａと側板突出部２５との間であって首部の両側には、溝２６ａが形成され、各溝２６ａに、対応する第１側板２２が嵌合されるようになっている。
【００２１】
図７（ａ）、（ｂ）、（ｃ）に示すように、各第１側板２２に、一対のリボンユニット１うちの一方のリボンユニット（例えば、三色インクリボンユニット）１の繰出ボビン１ｂおよび巻取ボビン１ｃを嵌合（支持）するための一対の貫通孔２８が設けられている。また、同様に、他方のリボンユニット（例えば、保護リボンユニット）１の繰出ボビン１ｂおよび巻取ボビン１ｃを嵌合（支持）するための一対の貫通孔２８が設けられている。各貫通孔２８は、繰出ボビン１ｂに対応する第１貫通孔２８ａと巻取ボビン１ｃに対応する第２貫通孔２８ｂとからそれぞれなっている。
【００２２】
各貫通孔２８は、各リボンユニット１の繰出ボビン１ｂおよび巻取ボビン１ｃの外径と略同一の穴径を有している。また、各第１貫通孔２８ａの中心と底板２１の上面との間の距離は、リボンユニット１のリボン１ａの巻付半径よりも大きい寸法からなっている。また、外箱１１に収納した際に折り曲げられた取っ手板２９の下面と各第１貫通孔２８ａの中心との間の距離も、リボン１ａの巻付半径よりも大きい寸法からなっている。このことにより、各貫通孔２８に各リボンユニット１を支持した場合に、リボン１ａの外周面が底板２１および取っ手板２９に接することを防止している。さらに、一対の第１側板２２の内面間の距離は、各リボンユニット１の幅に対応する寸法を有している。このことにより、各貫通孔２８に各リボンユニット１を支持した場合に、各リボンユニット１の両端面を第１側板２２の内面に当接させている。このようにして、輸送時に各リボンユニット１に衝撃が与えられることを防止している。
【００２３】
図１および図７（ａ）、（ｂ）、（ｃ）に示すように、各第１側板２２の上部に、各々が取っ手穴３０を有する一対の取っ手板２９が設けられている。各取っ手穴３０は、成人男性の手の指４本が挿入可能な大きさを有している。このようにして、リボンユニット１が収納されたリボン箱２０を確実に持ち上げることができるようになっている。また、各取っ手板２９は、各第１側板２２の上部に設けられているため、取っ手板２９を容易かつ確実に把持することができるようになっている。
【００２４】
各取っ手板２９は、対応する第１側板２２に対して折り曲げ自在となっている。また、各取っ手板２９は、第１側板２２との境界に設けられ、取っ手板２９の折り曲げ時に外方へ突出する取っ手板突出部３１を有している。各取っ手板突出部３１は、リボン箱２０を外箱１１に収納した際、外箱１１の内面に当接するようになっている。
【００２５】
図３を用いて、外箱１１を作製するための外箱ブランク板４０について説明する。外箱ブランク板４０は、板紙からなり、４つの側面パネル４１と、一端側に連結され、組立時に対応する側面パネル４１に接着剤等により接合される折返パネル４２とを有している。各側面パネル４１に、４つの底面フラップ４３および４つの上面フラップ４４がそれぞれ連結されている。このようにして、外箱１１は、一体に形成された外箱ブランク板４０から作製されるようになっている。
【００２６】
図４を用いて、リボンブランク板５０について説明する。リボンブランク板５０は、板紙からなり、底板２１を形成する矩形状の底板パネル５１と、底板パネル５１に連結され、一対の第１側板２２を形成する一対の第１側板パネル５２と、一対の第２側板２３を形成する一対の第２側板パネル５３とを有している。このうち底板パネル５１と各第１側板パネル５２との境界に、各第１側板パネル５２側へ突出する底板突出部２４が設けられている。なお、各底板突出部２４は、対応する第１側板パネル５２に対してコの字状の切込線５４によって区画され、底板パネル５１に連結されている。
【００２７】
各第２側板パネル５３は、側板本体２３ａを形成する側板本体パネル５３ａを有している。この側板本体パネル５３ａの両側縁に、首部２６を介して側方へ突出する側板突出部２５が連結され、側板本体パネル５３ａと側板突出部２５との間であって首部２６の両側に溝２６ａが形成されている。
【００２８】
各第１側板パネル５２に、リボンユニット１の繰出ボビン１ｂおよび巻取ボビン１ｃを支持するための４つの貫通孔２８が形成されている。また、各第１側板パネル５２の両側縁に、第２側板２３の首部２６が嵌合自在な凹部２７が形成されている。
【００２９】
各第１側板パネル５２の先端側に、取っ手穴３０を有する取っ手板２９が連結されている。各取っ手板２９とこれに隣接する第１側板パネル５２との境界に、各第１側板パネル５２側へ突出する取っ手板突出部３１が形成されている。なお、各取っ手板突出部３１は、対応する第１側板パネル５２に対してコの字状の切込線５５によって区画され、取っ手板２９に連結されている。
【００３０】
このようにして、リボン箱２０は、一体に形成されたリボンブランク板５０から作製される。
【００３１】
次に、このような構成からなる本実施の形態の作用について説明する。
【００３２】
まず、図２に示すような一対のリボンユニット（三色インクリボンユニットおよび保護リボンユニット）１および、図４に示すようなリボンブランク板５０を準備する。次に、各リボンユニット１が、リボンブランク板５０上、すなわちリボンブランク板５０の底板パネル５１上に、載置される（図５（ａ）、（ｂ）、（ｃ）参照）。この場合、各リボンユニット１の繰出ボビン１ｂおよび巻取ボビン１ｃが、第１側板パネル５２に形成された各貫通孔２８に対応する位置となるように載置される。
【００３３】
次に、リボンブランク板５０の各第１側板パネル５２が底板パネル５１に対して折り曲げられ、各第１側板パネル５２に形成された貫通孔２８に、各リボンユニット１の繰出ボビン１ｂおよび巻取ボビン１ｃを嵌合する（図６（ａ）、（ｂ）、（ｃ）参照）。このことにより、各リボンユニット１は、底板パネル５１から離れ、各貫通孔２８によってのみ支持される。なお、この場合、底板突出部２４が外方に突出される。
【００３４】
次に、リボンブランク板５０の各第２側板パネル５３が底板パネル５１に対して折り曲げられ、各リボンユニット１を収納したリボン箱２０が形成される（図７（ａ）、（ｂ）、（ｃ）参照）。この場合、各第２側板２３の首部２６が、対応する第１側板２２の凹部２７に嵌合するとともに、溝２６ａに、対応する第１側板２２が嵌合する。このことにより、各第１側板２２および各第２側板２３を強固に連結することができる。なお、この場合、側板突出部２５が外方に突出される。
【００３５】
次に、図８に示すように、各リボンユニット１を収納したリボン箱２０が、外箱１１内に収納される。この場合、まず、図３に示すような外箱ブランク板４０を準備し、外箱ブランク板４０の側面パネル４１と折返パネル４２とが互いにそれぞれ折り曲げられ、折返パネル４２と対応する側面パネル４１とが接着剤等により接合される。次に、各底面フラップ４３が対応する側面パネル４１に対して折り曲げられて閉じられ、接着テープ（図示せず）により底面フラップ４３同士が貼り付けられる。このようにして、外箱１１の底面１２と４つの側面１３が形成される。
【００３６】
この組み立てられた外箱１１内に、各リボンユニット１を収納したリボン箱２０が、外箱１１内に収納される（図８参照）。この際、取っ手板２９を用いることにより、各リボンユニット１を支持したリボン箱２０を容易に持ち上げて収納することができる。なお、この場合、リボン箱２０の各第１側板２２側において、外方へ突出している底板突出部２４、および各側板突出部２５が、外箱１１の内面（側面パネル４１の内面）に当接する。また、リボン箱２０の各第２側板２３側では、各第２側板２３が外箱１１の内面（側面パネル４１の内面）に当接している。このことにより、外箱１１内において、リボン箱２０が水平方向に動くことを規制することができる。
【００３７】
次に、取っ手板２９が第１側板２２に対して折り曲げられる（図８参照）。この場合、取っ手板突出部３１が外方へ突出し、外箱１１の内面に当接する。このことにより、外箱１１内においてリボン箱２０が水平方向に動くことをより一層規制することができる。
【００３８】
その後、外箱１１の上面フラップ４４が折り曲げられて閉じられ、接着テープ３により上面フラップ４４同士が貼り付けられる（図９参照）。この場合、リボン箱２０の上面、すなわち取っ手板２９の上面が、外箱１１の内面（上面フラップ４４の下面）に当接する（図１参照）。このことにより、外箱１１内においてリボン箱２０が垂直方向に動くことを規制することができる。このようにして、一対のリボンユニット１が梱包体１０に梱包される。
【００３９】
ところで、一対のリボンユニット１が梱包された梱包体１０から各リボンユニット１を取り出す場合について、以下に述べる。この場合、まず、接着テープ３を剥がして上面フラップ４４を開ける（図８参照）。
【００４０】
次に、外箱１１内から各リボンユニット１が収納されたリボン箱２０が取り出される。この場合、まず、折り曲げられていた取っ手板２９を垂直方向に延ばし（図７（ａ）、（ｂ）、（ｃ）参照）、その後、取っ手板２９を用いて各リボンユニット１が収納されたリボン箱２０が持ち上げられて取り出される。
【００４１】
次に、各第２側板２３の首部２６を各第１側板２２の凹部２７から取り外すとともに、溝２６ａから第１側板２２を取り外して、折り曲げられていた各第２側板パネル５３を開く（図６（ａ）、（ｂ）、（ｃ）参照）。
【００４２】
その後、折り曲げられていた各第１側板パネル５２を開く（図５（ａ）、（ｂ）、（ｃ）参照）。このことにより、各第１側板パネル５２の各貫通孔２８から各リボンユニット１の繰出ボビン１ｂおよび巻取ボビン１ｃが取り外され、各リボンユニット１は、リボンブランク板５０の底板パネル５１上に載置される。このようにして、各リボンユニット１を外箱１１から容易に取り出すことができる。
【００４３】
このように、本実施の形態によれば、外箱１１内のリボン箱２０の第１側板２２に設けられた各貫通孔２８に一対のリボンユニット１の各繰出ボビン１ｂおよび各巻取ボビン１ｃが嵌合されて支持され、この第１側板２２の上部に設けられた一対の取っ手板２９を用いて、一対のリボンユニット１が収納されたリボン箱２０を容易に持ち上げることができる。このことにより、一対のリボンユニット１が収納されたリボン箱２０を外箱１１内に容易に収納して梱包することができるとともに、外箱１１内から容易に取り出すことができる。特に、比較的重い（例えば、１ｋｇ以上）リボンユニット１を梱包する場合においても、インクリボンユニットに衝撃が与えられることを防止するとともに、梱包体１０から容易に取り出すことができる。
【００４４】
また、本実施の形態によれば、外箱１１内のリボン箱２０の第１側板２２に設けられた各貫通孔２８に一対のリボンユニット１の各繰出ボビン１ｂおよび各巻取ボビン１ｃが嵌合されて支持される。このことにより、輸送時、リボン箱２０内において各リボンユニット１が水平方向へ動くことおよび垂直方向へ動くことが規制され、各リボンユニット１に衝撃が与えられることを防止することができる。
【００４５】
なお、本実施の形態においては、三色インクリボンユニットの繰出ボビン１ｂおよび巻取ボビン１ｃ、並びに保護リボンユニットの繰出ボビン１ｂおよび巻取ボビン１ｃは、いずれも略同一の外径を有し、各貫通孔２８がこれらの繰出ボビン１ｂおよび巻取ボビン１ｃの外径と略同一の穴径を有している例について述べた。しかしながら、このことに限られることはなく、繰出ボビン１ｂおよび巻取ボビン１ｃが互いに異なる外径を有し、各貫通孔２８が、対応する繰出ボビン１ｂまたは巻取ボビン１ｃの外径に対応する穴径をそれぞれ有するように構成しても良い。
【実施例】
【００４６】
上記実施の形態により得られる梱包体１０に、２つのインクリボンユニット１（約３．１ｋｇの質量を有する三色リボンユニット、および約１．６ｋｇの質量を有する保護リボンユニット）を梱包して得られた供試品に対して、以下の条件で落下試験を行った。
【表１】
2011073702.tif 000003
ここで、各試験項目は以下のように定義される。
角落下：供試品の重心と衝撃を受ける角部とを結ぶ線が床に対して垂直な状態から供試品を落下すること。
稜落下：供試品の重心と衝撃を受ける稜とを結ぶ線が床に対して垂直な状態にあり、かつこの衝撃を受ける稜は床に対して平行な状態から供試品を落下すること。
面落下：衝撃を受ける面が床に対して平行な状態から供試品を落下すること。
【００４７】
比較例１として、各リボンユニット１の繰出ボビン１ｂに巻付けられたリボン１ａの外周面が、リボン箱２０（図７参照）の底板２１に当接するように各リボンユニット１を梱包した場合（図示せず）、すなわち、貫通孔２８ａの中心と底板２１の上面との間の距離が、リボンユニット１のリボン１ａの巻付半径と略同一の寸法からなっている場合について、同様の落下試験を行った。また、比較例２として、各リボンユニット１を縦置きにした場合（図示せず）、すなわち、各リボンユニット１の繰出ボビン１ｂおよび巻取ボビン１ｃの一端を、底板２１の上面に当接させて梱包した場合について、同様の落下試験を行った。
【００４８】
比較例１においては、落下の衝撃を各リボンユニット１のリボン１ａが直接受け、リボン１ａのうち底板２１に接している部分に打痕が形成されたことが確認された。この打痕が形成されたリボンユニット１を使用して印画を行うと、印画にシワ、印画抜けなどが発生した。
【００４９】
また、比較例２においては、落下の衝撃を各リボンユニット１の繰出ボビン１ｂが直接受け、この繰出ボビン１ｂに巻付けられていたリボン１ａがずれるということが確認された。この巻きずれしたリボンユニット１を使用して印画を行うと、印画にシワが発生した。
【００５０】
これに対して本実施の形態による梱包体１０に２つのリボンユニット１を梱包した供試品は、上述した落下試験項目のいずれにおいても、各リボンユニット１のリボン１ａに打痕が形成されること、リボン１ａが巻きずれすること等の異常は確認されなかった。そして、印画を行った場合においても、印画不良が発生することは確認されなかった。このことにより、本実施の形態による梱包体１０に２つのリボンユニット１を梱包し、これを誤って床に落下した場合においても、リボンユニット１に損傷を与えることを防止することができる。
【符号の説明】
【００５１】
１      リボンユニット
１ａ    リボン
１ｂ    繰出ボビン
１ｃ    巻取ボビン
２      保護袋
３      接着テープ
１０    梱包体
１１    外箱
１２    底面
１３    側面
１４    上面
２０    リボン箱
２１    底板
２２    第１側板
２３    第２側板
２３ａ  側板本体
２４    底板突出部
２５    側板突出部
２６    首部
２６ａ  溝
２７    凹部
２８    貫通孔
２８ａ  第１貫通孔
２８ｂ  第２貫通孔
２９    取っ手板
３０    取っ手穴
３１    取っ手板突出部
４０    外箱ブランク板
４１    側面パネル
４２    折返パネル
４３    底面フラップ
４４    上面フラップ
５０    リボンブランク板
５１    底板パネル
５２    第１側板パネル
５３    第２側板パネル
５３ａ  側板本体パネル
５４    切込線
５５    切込線
【図１】
2011073702.tif 000004
【図２】
2011073702.tif 000005
【図３】
2011073702.tif 000006
【図４】
2011073702.tif 000007
【図５】
2011073702.tif 000008
【図６】
2011073702.tif 000009
【図７】
2011073702.tif 000010
【図８】
2011073702.tif 000011
【図９】
2011073702.tif 000012